(57)【要約】【課題】検査に用いるレンズを自動的に切り替える。【解決手段】検査システムＳは、検査用画像を表示装置に表示させる制御装置２と、表示装置４に表示された検査用画像を視認する際に被検査者が装着する検査装置１と、を備える。検査装置１は、入射光を第１の向きに出射する第１レンズ１２と、第１レンズ１２に隣接して設けられており、入射光を、第１の向きと異なる第２の向きに出射する第２レンズ１３と、第１レンズ１２を通過した光を透過させるか否かを切り替え可能な第１フィルム１４と、第２レンズ１３を通過した光を透過させるか否かを切り替え可能な第２フィルム１５と、を有する。また、制御装置２は、第１フィルム１４及び第２フィルム１５のそれぞれが光を透過させるか否かを切り替える切替制御部２２２を有する。【選択図】図１
2018110605.tif 000002
【特許請求の範囲】
【請求項１】
検査用画像を表示装置に表示させる制御装置と、前記表示装置に表示された前記検査用画像を視認する際に被検査者が装着する検査装置と、を備える検査システムであって、
前記検査装置は、
入射光を第１の向きに出射する第１レンズと、
前記第１レンズに隣接して設けられており、前記入射光を、前記第１の向きと異なる第２の向きに出射する第２レンズと、
前記第１レンズを通過した光を透過させるか否かを切り替え可能な第１シャッター部と、
前記第２レンズを通過した光を透過させるか否かを切り替え可能な第２シャッター部と、
を有し、
前記制御装置は、前記第１シャッター部及び前記第２シャッター部のそれぞれが光を透過させるか否かを切り替える切替制御部を有する、
検査システム。
【請求項２】
被検査者の操作状態を特定する操作特定部をさらに有し、
前記切替制御部は、前記操作特定部が特定した前記操作状態に応じて、前記第１シャッター部又は前記第２シャッター部が光を透過させる状態から、前記第１シャッター部及び前記第２シャッター部が光を透過させない状態に切り替える、
請求項１に記載の検査システム。
【請求項３】
前記制御装置は、前記表示装置に検査用画像を表示させる表示制御部をさらに有し、
前記第１レンズと前記第２レンズとは、上下方向に並んで配置されており、
前記第１シャッター部と前記第２シャッター部とは、上下方向に並んで配置されており、
前記表示制御部は、前記第１シャッター部が光を透過させる第１モードにおいて、前記表示装置の第１位置に前記検査用画像を表示させ、前記第２シャッター部が光を透過させる第２モードにおいて、前記第１位置よりも上方又は下方の第２位置に前記検査用画像を表示させる、
請求項１又は２に記載の検査システム。
【請求項４】
前記被検査者が前記表示装置に触れた位置を検出する検出部と、
前記表示制御部が前記検査用画像を表示させた位置と、前記検出部が検出した位置との間の距離を計測する計測部と、
をさらに有し、
前記切替制御部は、前記計測部が計測した距離が、所定の閾値以下に達したことを条件として、前記第１シャッター部に光を透過させる第１モードと、前記第２シャッター部に光を透過させる第２モードとを切り替える、
請求項３に記載の検査システム。
【請求項５】
前記被検査者が前記表示装置に触れたことを検出する検出部をさらに有し、
前記切替制御部は、前記被検査者が前記表示装置に触れた回数が所定の閾値に達するたびに、前記第１シャッター部に光を透過させる第１モードと、前記第２シャッター部に光を透過させる第２モードとを切り替える、
請求項１から４のいずれか一項に記載の検査システム。
【請求項６】
コンピュータが実行する、入射光を第１の向きに出射する第１レンズと、前記第１レンズに隣接して設けられており、前記入射光を、前記第１の向きと異なる第２の向きに出射する第２レンズと、前記第１レンズを通過した光を透過させるか否かを切り替え可能な第１シャッター部と、前記第２レンズを通過した光を透過させるか否かを切り替え可能な第２シャッター部と、を有する装着検査装置を用いる被検査者の検査方法であって、
前記第２シャッター部が光を透過させず、前記第１シャッター部が光を透過させる状態で、表示装置に第１検査用画像を表示させる第１表示ステップと、
前記第１検査用画像を表示させた後に、前記第１シャッター部及び前記第２シャッター部が光を透過させない状態に切り替える第１切替ステップと、
前記第１シャッター部及び前記第２シャッター部が光を透過させない状態で、前記被検査者が前記表示装置に触れたことを検出する第１検出ステップと、
前記被検査者が前記表示装置に触れたことを検出した後に、前記第１シャッター部が光を透過させる状態に切り替える第２切替ステップと、
を有する検査方法。
【請求項７】
前記コンピュータが前記第１表示ステップ、前記第１切替ステップ、前記第１検出ステップ及び前記第２切替ステップの後に実行する、
前記第１シャッター部が光を透過させず、前記第２シャッター部が光を透過させる状態で、前記表示装置に前記第１検査用画像と異なる位置に第２検査用画像を表示させる第２表示ステップと、
前記第２検査用画像を表示させた後に、前記第１シャッター部及び前記第２シャッター部が光を透過させない状態に切り替える第３切替ステップと、
前記第１シャッター部及び前記第２シャッター部が光を透過させない状態で、前記被検査者が前記表示装置に触れたことを検出する第２検出ステップと、
前記被検査者が前記表示装置に触れたことを検出した後に、前記第２シャッター部が光を透過させる状態に切り替える第４切替ステップと、
をさらに有する請求項６に記載の検査方法。
【請求項８】
表示装置に表示された検査用画像を視認する際に被検査者が装着する検査装置であって、
入射光を第１の向きに出射する第１レンズと、
前記第１レンズに隣接して設けられており、前記入射光を、前記第１の向きと異なる第２の向きに出射する第２レンズと、
外部装置から入力された制御信号に基づいて、前記第１レンズを通過した光を透過させるか否かを切り替える第１シャッター部と、
前記制御信号に基づいて、前記第２レンズを通過した光を透過させるか否かを切り替える第２シャッター部と、
を有する検査装置。
【発明の詳細な説明】
【技術分野】
【０００１】
本発明は、脳の検査に用いられる検査システム、検査方法及び検査装置に関する。
【背景技術】
【０００２】
視覚と身体の動きとの関係に基づいて、脳の障害を検査する方法が知られている。非特許文献１及び非特許文献２には、ディスプレイに表示した点状の検査用画像を被検査者に見せた後に、被検査者が目を閉じた状態で、検査用画像にできるだけ近い位置に指を触れてもらうという動作を繰り返すことにより、小脳の障害の有無を検査する方法が開示されている。小脳が正常である場合、被検査者は、視覚と身体の動きとの間のずれを補正するように学習することができるので、動作を繰り返すことにより、検査用画像と被検査者が触れた位置との距離が短くなる。そこで、検査用画像と被検査者が触れた位置との距離の変化に基づいて、小脳が正常であるか否かを判定することができる。
【先行技術文献】
【非特許文献】
【０００３】
【非特許文献１】橋本祐二等、「手の到達運動におけるプリズム適応による人間の小脳依存の運動学習の定量的評価」、プロスワン（ＰＬＯＳ  ＯＮＥ）、ｊｏｕｒｎａｌ．ｐｏｎｅ．０１  １９３７６、２０１５年３月１８日
【非特許文献２】国立大学法人東京医科歯科大学、「世界初、小脳運動学習を定量的に評価するシステムを開発」、［online］、平成２７年３月１８日、［平成２９年１月２日検索］、インターネット＜http://www.tmd.ac.jp/archive-tmdu/kouhou/20150319.pdf＞
【発明の概要】
【発明が解決しようとする課題】
【０００４】
上記の検査の精度を向上させるためには、検査用画像と被検査者が触れた位置との距離が大きな状態から小さな状態に変化するまでの繰り返し動作を、何度か実施することが必要である。しかしながら、被検査者が視覚と身体の動きとの間のずれを補正するように学習してしまうと、検査用画像と被検査者が触れた位置との距離が大きな状態にならない。そこで、被検査者にゴーグルを装着してもらい、ゴーグルに取り付けるレンズの種類を入れ替えることにより、光の進行方向を切り替えるという方法が採用されている。
【０００５】
この方法によれば、入射光を真直ぐに進行させるアクリルレンズをゴーグルに取り付けた状態で、検査用画像と被検査者が触れた位置との距離が大きな状態から小さな状態に変化するまでの繰り返し動作を被検査者に実行させた後に、入射光を真直ぐに進行させないプリズムレンズに入れ替える。このように、所定の回数ごとにレンズの種類を入れ替えることにより、検査用画像と被検査者が触れた位置との距離が大きな状態に戻すことができる。
【０００６】
しかしながら、従来は、手動によりレンズを入れ替える必要があったため、レンズの入れ替え作業が煩雑であるとともに、レンズの入れ替え時間が長いという問題があった。レンズの入れ替え時間が長いと、レンズを入れ替えている間に被検査者が表示装置を視認できてしまう場合があるため、検査の精度が低下するという問題が生じていた。
【０００７】
そこで、本発明はこれらの点に鑑みてなされたものであり、検査に用いるレンズを自動的に切り替えることができる検査システム、検査方法及び検査装置を提供することを目的とする。
【課題を解決するための手段】
【０００８】
本発明の第１の態様の検査システムは、検査用画像を表示装置に表示させる制御装置と、前記表示装置に表示された前記検査用画像を視認する際に被検査者が装着する検査装置と、を備える検査システムであって、前記検査装置は、入射光を第１の向きに出射する第１レンズと、前記第１レンズに隣接して設けられており、前記入射光を、前記第１の向きと異なる第２の向きに出射する第２レンズと、前記第１レンズを通過した光を透過させるか否かを切り替え可能な第１シャッター部と、前記第２レンズを通過した光を透過させるか否かを切り替え可能な第２シャッター部と、を有し、前記制御装置は、前記第１シャッター部及び前記第２シャッター部のそれぞれが光を透過させるか否かを切り替える切替制御部を有する。
【０００９】
被検査者の操作状態を特定する操作特定部をさらに有し、前記切替制御部は、前記操作特定部が特定した前記操作状態に応じて、前記第１シャッター部又は前記第２シャッター部が光を透過させる状態から、前記第１シャッター部及び前記第２シャッター部が光を透過させない状態に切り替えてもよい。
【００１０】
前記制御装置は、前記表示装置に検査用画像を表示させる表示制御部をさらに有し、前記第１レンズと前記第２レンズとは、上下方向に並んで配置されており、前記第１シャッター部と前記第２シャッター部とは、上下方向に並んで配置されており、前記表示制御部は、前記第１シャッター部が光を透過させる第１モードにおいて、前記表示装置の第１位置に前記検査用画像を表示させ、前記第２シャッター部が光を透過させる第２モードにおいて、前記第１位置よりも上方又は下方の第２位置に前記検査用画像を表示させてもよい。
【００１１】
前記被検査者が前記表示装置に触れた位置を検出する検出部と、前記表示制御部が前記検査用画像を表示させた位置と、前記検出部が検出した位置との間の距離を計測する計測部と、をさらに有し、前記切替制御部は、前記計測部が計測した距離が、所定の閾値以下に達したことを条件として、前記第１シャッター部に光を透過させる第１モードと、前記第２シャッター部に光を透過させる第２モードとを切り替えてもよい。
【００１２】
前記被検査者が前記表示装置に触れたことを検出する検出部をさらに有し、前記切替制御部は、前記被検査者が前記表示装置に触れた回数が所定の閾値に達するたびに、前記第１シャッター部に光を透過させる第１モードと、前記第２シャッター部に光を透過させる第２モードとを切り替えてもよい。
【００１３】
本発明の第２の態様の検査方法は、コンピュータが実行する、入射光を第１の向きに出射する第１レンズと、前記第１レンズに隣接して設けられており、前記入射光を、前記第１の向きと異なる第２の向きに出射する第２レンズと、前記第１レンズを通過した光を透過させるか否かを切り替え可能な第１シャッター部と、前記第２レンズを通過した光を透過させるか否かを切り替え可能な第２シャッター部と、を有する装着検査装置を用いる被検査者の検査方法であって、前記第２シャッター部が光を透過させず、前記第１シャッター部が光を透過させる状態で、表示装置に第１検査用画像を表示させる第１表示ステップと、前記第１検査用画像を表示させた後に、前記第１シャッター部及び前記第２シャッター部が光を透過させない状態に切り替える第１切替ステップと、前記第１シャッター部及び前記第２シャッター部が光を透過させない状態で、前記被検査者が前記表示装置に触れたことを検出する第１検出ステップと、前記被検査者が前記表示装置に触れたことを検出した後に、前記第１シャッター部が光を透過させる状態に切り替える第２切替ステップと、を有する。
【００１４】
上記の検査方法は、前記コンピュータが前記第１表示ステップ、前記第１切替ステップ、前記第１検出ステップ及び前記第２切替ステップの後に実行する、前記第１シャッター部が光を透過させず、前記第２シャッター部が光を透過させる状態で、前記表示装置に前記第１検査用画像と異なる位置に第２検査用画像を表示させる第２表示ステップと、前記第２検査用画像を表示させた後に、前記第１シャッター部及び前記第２シャッター部が光を透過させない状態に切り替える第３切替ステップと、前記第１シャッター部及び前記第２シャッター部が光を透過させない状態で、前記被検査者が前記表示装置に触れたことを検出する第２検出ステップと、前記被検査者が前記表示装置に触れたことを検出した後に、前記第２シャッター部が光を透過させる状態に切り替える第４切替ステップと、をさらに有してもよい。
【００１５】
本発明の第３の態様の検査装置は、表示装置に表示された検査用画像を視認する際に被検査者が装着する検査装置であって、入射光を第１の向きに出射する第１レンズと、前記第１レンズに隣接して設けられており、前記入射光を、前記第１の向きと異なる第２の向きに出射する第２レンズと、外部装置から入力された制御信号に基づいて、前記第１レンズを通過した光を透過させるか否かを切り替える第１シャッター部と、前記制御信号に基づいて、前記第２レンズを通過した光を透過させるか否かを切り替える第２シャッター部と、を有する。
【発明の効果】
【００１６】
本発明によれば、検査に用いるレンズを自動的に切り替えることができるという効果を奏する。
【図面の簡単な説明】
【００１７】
【図１】本実施形態の検査システムの概要を説明するための図である。
【図２】ゴーグルの構成を示す図である。
【図３】制御装置の構成を示す図である。
【図４】検査の流れを示す図である。
【図５】検査の流れを示す図である。
【図６】検査結果の例を示す図である。
【図７】制御装置の動作フローチャートである。
【図８】第１モードの検査における制御装置の動作フローチャートである。
【図９】第２モードの検査における制御装置の動作フローチャートである。
【発明を実施するための形態】
【００１８】
［検査システムＳの概要］
図１は、検査システムＳの概要を説明するための図である。検査システムＳは、検査装置１と、制御装置２と、スイッチ３と、表示装置４と、を有する。
【００１９】
検査装置１は、被検査者が目の周辺に装着して使用する装置であり、本実施の形態においてはゴーグルの形状を有する。検査装置１の詳細については後述するが、検査装置１には、光の通過経路がそれぞれ異なる２種類のレンズが設けられている。また、検査装置１には、制御装置２から入力される制御信号に基づいて光を透過させる状態と光を透過させない状態とを切り替えるシャッター部として機能するフィルムが設けられている。検査装置１は、シャッター部の状態を切り替えることにより、検査装置１に入射する光が第１の向きに被検査者の目に入る状態（以下、第１モードという場合がある）と、検査装置１に入射する光が第２の向きに被検査者の目に入る状態（以下、第２モードという場合がある）とを切り替えることができる。
【００２０】
制御装置２は、検査装置１、スイッチ３及び表示装置４を制御して検査を実行するためのコンピュータである。制御装置２は、被検査者によるスイッチ３を用いた操作に応じて、検査装置１が第１モードと第２モードとを切り替えるように制御するとともに、表示装置４が表示する検査用画像を切り替えるように制御する。
【００２１】
スイッチ３は、操作者の操作を受け付ける操作部である。スイッチ３は、例えば耳に装着されるプッシュスイッチを有している。スイッチ３は、ユーザがプッシュスイッチを押した状態であるか押していない状態であるかを示す操作信号を制御装置２に対して出力する。人は、目を閉じた状態であっても、手を耳の位置まで正確に動かすことができることが知られており、被検査者が耳にスイッチ３を装着することにより、被検査者自身が検査を進行させることが可能になる。
【００２２】
表示装置４は、検査用画像を表示するタッチパネルディスプレイである。表示装置４は、制御装置２から入力される表示指示信号に基づいて、例えば点状の検査用画像を表示する。表示装置４は、検査用画像を表示する位置を変化させる。例えば、表示装置４は、画面を縦３行、横３列の９個に分割した分割領域のうち、中央の分割領域を除く周辺の分割領域のいずれかからランダムに選択した一つの分割領域に検査用画像を表示する。表示装置４が検査用画像を表示する位置を変化させることで、被検査者の手を動かす感覚が初期化されるので、検査の精度を向上させることができる。
以下、検査装置１及び制御装置２の詳細について説明する。
【００２３】
［検査装置１の構成］
図２は、検査装置１の構成を示す図である。検査装置１は、筐体１１と、第１レンズ１２と、第２レンズ１３と、第１フィルム１４と、第２フィルム１５とを有する。第１フィルム１４には第１制御線１６が接続されており、第２フィルム１５には第２制御線１７が接続されている。
【００２４】
筐体１１は、例えばゴーグルの筐体部であり、第１レンズ１２、第２レンズ１３、第１フィルム１４、及び第２フィルム１５が固定されている。被検査者は、不図示のバンドを用いて、筐体１１を頭部の前側に装着する。なお、筐体１１は、メガネのフレームであってもよい。
【００２５】
第１レンズ１２は、入射光を第１の向きに出射するレンズであり、例えば、入射光が屈折しないアクリルレンズである。第１の向きは、例えば、入射光の向きと同じ向きである。第２レンズ１３は、第１レンズ１２に隣接して設けられている。具体的には、第２レンズ１３は、被検査者の視線の方向と直交する方向において第１レンズ１２に隣接している。第２レンズ１３は、入射光を、第１の向きと異なる第２の向きに出射するレンズであり、例えばフレネルレンズにより構成されるプリズムレンズである。本実施形態において、被検査者は、第２レンズ１３を通して検査用画像を視認することにより、第１レンズ１２を通して検査用画像を視認した場合に比べてプリズムの度数に相当する角度だけ右側に検査用画像を視認する。
【００２６】
第１フィルム１４は、第１レンズを通過した光を透過させるか否かを切り替え可能な第１シャッター部である。第１フィルム１４は、例えば所定の閾値以上の電圧が印加されると光を透過させない状態になり、閾値未満の電圧が印加されると光を透過させる状態になるフィルムであり、例えば日本板硝子ウムプロダクツ株式会社製のＵＭＵ（登録商標）フィルムである。第１フィルム１４においては、複数のＵＭＵフィルムが重ねられており、光を透過させない状態において、被検査者が検査用画像を視認できない状態にすることができる。第２フィルム１５は、第２レンズを通過した光を透過させるか否かを切り替え可能な第２シャッター部である。第１フィルム１４と第２フィルム１５とは同等の特性を有しており、制御装置２は、第１フィルム１４及び第２フィルム１５を独立して制御することができる。
【００２７】
第１制御線１６及び第２制御線１７は、制御装置２が出力する制御信号を伝送する。第１制御線１６及び第２制御線１７は、例えば、１本のケーブル１８に収容されている。第１制御線１６は第１フィルム１４に接続されており、制御装置２から入力された第１制御信号を第１フィルム１４に入力する。第２制御線１７は第２フィルム１５に接続されており、制御装置２から入力された第１制御信号を第２フィルム１５に入力する。
【００２８】
図２（ｂ）は、第１フィルム１４が光を透過し、第２フィルム１５が光を透過しない状態になっている検査装置１を示している。第１制御信号がハイレベルの電圧になっており、第２制御信号がロウレベルの電圧になっている場合に、第１フィルム１４は光を透過し、第２フィルム１５は光を透過しない状態になる。この状態において、被検査者は、視線をやや上方に向けることにより、第１フィルム１４及び第１レンズ１２を介して検査用画像を視認することができる。なお、本明細書において、上方は、被検査者の目を基準として眉毛の側であり、下方は、被検査者の目を基準として口の側である。
【００２９】
図２（ｃ）は、第１フィルム１４が光を透過せず、第２フィルム１５が光を透過する状態になっている検査装置１を示している。第１制御信号がロウレベルの電圧になっており、第２制御信号がハイレベルの電圧になっている場合に、第１フィルム１４は光を透過せず、第２フィルム１５は光を透過する状態になる。この状態において、被検査者は、視線をやや下方に向けることにより、第２フィルム１５及び第２レンズ１３を介して検査用画像を視認することができる。
【００３０】
［制御装置２の構成］
制御装置２は、記憶部２１と、制御部２２とを有する。記憶部２１は、ＲＯＭ（Read Only Memory）、ＲＡＭ（Random Access Memory）、及びハードディスク等の記憶媒体を含む。記憶部２１は、制御部２２が実行するプログラムを記憶する。
【００３１】
制御部２２は、例えばＣＰＵ（Central Processing Unit）である。制御部２２は、記憶部２１に記憶されたプログラムを実行することにより、操作特定部２２１、切替制御部２２２、表示制御部２２３、検出部２２４、及び計測部２２５として機能する。
【００３２】
操作特定部２２１は、スイッチ３が出力した操作信号が示す操作状態を特定する。すなわち、操作特定部２２１は、被検査者がスイッチ３を押しているか否かを特定する。操作特定部２２１は、特定した結果を切替制御部２２２及び表示制御部２２３に通知する。
【００３３】
切替制御部２２２は、第１フィルム１４及び第２フィルム１５のそれぞれに光を透過させるか否かを切り替える。具体的には、切替制御部２２２は、操作特定部２２１が特定した被検査者によるスイッチ３の操作状態に基づいて、第１フィルム１４に印加する第１電圧及び第２フィルム１５に印加する第２電圧を変化させることにより、第１フィルム１４及び第２フィルム１５の光透過度合を切り替える。
【００３４】
切替制御部２２２は、例えば、被検査者がスイッチ３を押している状態において、第１フィルム１４及び第２フィルム１５のうち検査に用いる方を、光を透過させる状態にする。切替制御部２２２は、被検査者がスイッチ３から手を離したことにより、第１フィルム１４及び第２フィルム１５を、光を透過させない状態に切り替える。
【００３５】
また、切替制御部２２２は、第１フィルム１４及び第２フィルム１５が光を透過させない状態になっている間に、被検査者が表示装置４に触れた回数が所定の閾値に達するたびに、第１フィルム１４に光を透過させる第１モードと、第２フィルム１５に光を透過させる第２モードとを切り替える。
【００３６】
表示制御部２２３は、表示装置４に検査用画像を表示させる。表示制御部２２３は、第１の検査用画像を表示させた状態で、被検査者が画面にタッチしたことを示す情報を検出部２２４から受け取ると、所定の第１時間（例えば１００ミリ秒）が経過した後に、第１の検査用画像の表示を停止する。その後、所定の第２時間が経過した後に、第１の検査用画像と異なる位置に第２の検査用画像を表示させる。表示制御部２２３は、検査用画像を表示させた状態で被検査者が画面にタッチする動作を所定の回数繰り返すまで、位置を変えながら検査用画像を表示させる。表示制御部２２３は、検査用画像を表示させた位置を計測部２２５に通知する。
【００３７】
また、表示制御部２２３は、被検査者が表示装置４に触れた回数が所定の閾値（例えば１００回）に達するたびに、第１フィルム１４に光を透過させる第１モードと、第２フィルム１５に光を透過させる第２モードとを切り替える。具体的には、まず、表示制御部２２３は、第２フィルム１５が常に光を透過させず、被検査者が第１フィルム１４及び第１レンズ１２を介して検査用画像を視認可能な第１モードにおいて、第１フィルム１４が光を透過する状態で検出部２２４が検査用画像を表示する。その後、表示制御部２２３は、第１フィルム１４及び第２フィルム１５が光を透過せず、被検査者が検査用画像を視認できない状態で被検査者が表示装置４の画面にタッチした回数を検出部２２４から取得する。
【００３８】
表示制御部２２３は、被検査者が画面にタッチした回数が所定の回数に達していない場合、第１モードにおいて検査用画像を表示する動作を継続する。また、表示制御部２２３は、被検査者が画面にタッチした回数が所定の回数に達した場合、第１フィルム１４が常に光を透過させず、被検査者が第２フィルム１５及び第２レンズ１３を介して検査用画像を視認可能な第２モードに切り替える。
【００３９】
表示制御部２２３は、第２モードにおいて、第２フィルム１５が光を透過する状態で検出部２２４が検査用画像を表示した後に、第２フィルム１５が光を透過しない状態でユーザが表示装置４の画面にタッチした回数を検出部２２４から取得する。そして、表示制御部２２３は、被検査者に第２フィルム１５及び第２レンズ１３を介して検査用画像を視認させてから表示装置４の画面にタッチした回数が所定の回数に達したと判定すると、第１モードに切り替える。
【００４０】
検出部２２４は、表示装置４のタッチパネルから出力される信号に基づいて、表示装置４に検査用画像が表示された状態で被検査者が表示装置４の画面にタッチしたことを検出する。検出部２２４は、被検査者が表示装置４の画面にタッチしたことを表示制御部２２３に通知する。また、検出部２２４は、被検査者がタッチした位置を計測部２２５に通知する。
【００４１】
計測部２２５は、表示制御部２２３から通知された検査用画像の表示位置と、検出部２２４から通知された被検査者のタッチ位置との距離を計測する。計測部２２５は、計測した距離を、第１モード又は第２モードでの検査を開始した後に被検査者が表示装置４にタッチした回数に関連付けて記憶部２１に記憶させる。
【００４２】
［検査の流れ］
図４及び図５は、検査の流れを示す図である。図４は、第１モードの検査の流れを示しており、図５は、第２モードの検査の流れを示している。
【００４３】
図４を参照すると、時刻Ｔ１において被検査者がスイッチ３を押すと、切替制御部２２２は、第１フィルム１４が光を透過する状態に切り替えて、被検査者が表示装置４に表示された検査用画像を視認できるようにする。この間に、被検査者は、検査用画像が表示されている位置を記憶する。
【００４４】
続いて、時刻Ｔ２において被検査者がスイッチ３から手を離すと、切替制御部２２２は、第１フィルム１４が光を透過しない状態に切り替えて、被検査者が検査用画像を視認できない状態にする。切替制御部２２２は、被検査者がスイッチ３を離さなくても、時刻Ｔ１から所定の時間（例えば５秒）が経過した後に、第１フィルム１４が光を透過しない状態に自動的に切り替えてもよい。このようにすることで、切替制御部２２２は、被検査者が検査用画像を視認する時間の差によって検査結果がばらつくことを抑制できる。
【００４５】
続いて、時刻Ｔ３において被検査者が表示装置４にタッチすると、切替制御部２２２は、第１フィルム１４が光を透過する状態に切り替えて、所定の時間（例えば１００ミリ秒）、被検査者がタッチした位置と検査用画像の表示位置との関係を視認できるようにする。表示制御部２２３は、所定の時間が経過して時刻Ｔ４になると、検査用画像の表示を停止する。その後、所定の時間（例えば２００ミリ秒）が経過して時刻Ｔ５になると、切替制御部２２２は第１フィルム１４が光を透過しない状態に切り替える。また、表示制御部２２３は、直前に検査用画像を表示していた位置と異なる位置に、新たな検査用画像を表示する。検査システムＳは、検査用画像の表示位置を変化させながら、図４に示す第１モードの検査を所定の回数繰り返した後に、図５に示す第２モードの検査を開始する。
【００４６】
図５に示す第２モードの検査の流れは、被検査者が検査用画像を視認できる状態と視認できない状態とを切り替える際に、第１フィルム１４の代わりに第２フィルム１５に光を透過させるか否かを切り替える点で、図４に示した第１モードの検査の流れと異なり、その他の点で同じである。検査システムＳは、図４に示した第１モードの検査と図５に示した第２モードの検査とを繰り返すことにより、被検査者の小脳が正常に動作しているか否かを判定することができる。
【００４７】
［検査結果の例］
図６は、検査結果の例を示す図である。図６（ａ）は、小脳に異常がない場合の検査結果の例を示しており、図６（ｂ）は、小脳に異常がある場合の検査結果の例を示している。図６における横軸は、検査回数、すなわち被検査者が表示装置４にタッチした回数を示しており、縦軸は、計測部２２５が計測した検査用画像の表示位置と被検査者のタッチ位置との距離（ずれ量）を示している。また、曲線ａは、第１モードで検査をした結果を示しており、曲線ｂは、第２モードで検査をした結果を示している。
【００４８】
図６（ａ）においては、第１モードと第２モードとを切り替えた直後のずれ量が大きいが、検査の回数が増えるにつれて、ずれ量が低下している。これは、小脳に異常がない被検査者が検査を受けた場合、検査用画像の表示位置とタッチ位置とのずれを視認した結果に基づいて、視認した位置とタッチする位置との関係を学習し、検査用画像を視認した位置に近い位置にタッチできるようになっていくことを示している。
【００４９】
これに対して、図６（ｂ）においては、検査の回数が増えてもずれ量が低下していない。これは、小脳に異常がある被検査者が検査を受けた場合、視認した位置とタッチする位置との関係を学習することができないことが原因であると考えられる。検査システムＳにおいては、切替制御部２２２が、第１レンズ１２を用いる第１モードと第２レンズ１３を用いる第２モードとを自動的に切り替えるので、検査を効率よく実施することができる。
【００５０】
［制御装置２の動作フローチャート］
図７は、制御装置２の動作フローチャートである。まず、切替制御部２２２は、被検査者が第１フィルム１４及び第１レンズ１２を介して検査用画像を視認する第１モードに設定する（Ｓ１）。第１モードにおいて、切替制御部２２２は、第２フィルム１５を常に光を透過しない状態にし、第１フィルム１４が光を透過する状態と光を透過しない状態とを切り替える。
【００５１】
切替制御部２２２は、第１モードにおいて被検査者が表示装置４にタッチした回数が所定の回数（例えばＮ回、Ｎは自然数）に達したと判定すると（Ｓ２においてＹＥＳ）、被検査者が第２フィルム１５及び第２レンズ１３を介して検査用画像を視認する第２モードに設定する（Ｓ３）．第２モードにおいて、切替制御部２２２は、第１フィルム１４を常に光を透過しない状態にし、第２フィルム１５が光を透過する状態と光を透過しない状態とを切り替える。
【００５２】
切替制御部２２２は、第２モードにおいて被検査者が表示装置４にタッチした回数が所定の回数（例えばＮ回、Ｎは自然数）に達したと判定すると（Ｓ４においてＹＥＳ）、第１モードでＮ回の検査を実施した回数及び第２モードでＮ回の検査を実施した回数が所定の回数に達したかどうかを判定する（Ｓ５）。切替制御部２２２は、第１モード及び第２モードでの検査回数が所定の回数に達したと判定すると（Ｓ５においてＹＥＳ）、検査を終了する。切替制御部２２２は、第１モード及び第２モードでの検査回数が所定の回数に達していないと判定すると（Ｓ５においてＮＯ）、ステップＳ１に戻って第１モードに設定する。
【００５３】
図８は、第１モードの検査における制御装置２の動作フローチャートである。図９は、第２モードの検査における制御装置２の動作フローチャートである。
【００５４】
第１モードにおいて、まず、表示制御部２２３が検査用画像を表示装置４に表示させる（Ｓ１１）。また、切替制御部２２２は、第１フィルム１４及び第２フィルム１５が光を透過しない状態にする（Ｓ１２）。この間、操作特定部２２１は、被検査者がスイッチ３を押したかどうかを監視する。操作特定部２２１が、被検査者がスイッチ３を押してオン状態になったことを検出すると（Ｓ１３においてＹＥＳ）、切替制御部２２２は、第１レンズ１２（例えばアクリルレンズ）の側の第１フィルム１４が光を透過し、第２レンズ１３（例えばプリズムレンズ）の側の第２フィルム１５が光を透過しない状態にする（Ｓ１４）。
【００５５】
操作特定部２２１が、被検査者がスイッチ３から手を離してスイッチ３がオフ状態になったことを検出すると（Ｓ１５においてＹＥＳ）、切替制御部２２２は、第１フィルム１４及び第２フィルム１５が光を透過しない状態にする（Ｓ１６）。この間、検出部２２４は、被検査者が表示装置４にタッチしたかどうかを監視する。検出部２２４が、被検査者が表示装置４にタッチしたことを検出すると（Ｓ１７においてＹＥＳ）、計測部２２５は、検査用画像とタッチ位置との距離を計測する（Ｓ１８）。
【００５６】
表示制御部２２３は、被検査者が表示装置４にタッチしてから所定の時間（例えば１００ミリ秒）、検査用画像を表示装置４に表示させた状態を維持した後に（Ｓ１９においてＹＥＳ）、検査用画像の表示をオフする（Ｓ２０）。続いて、表示制御部２２３は、ステップＳ１１からＳ２０までの動作を所定の回数（例えば１００回）行ったか否かを判定する（Ｓ２１）。表示制御部２２３が、所定の回数の動作が終了していないと判定した場合（Ｓ２１においてＮＯ）、Ｓ２２の各部は、Ｓ１１からＳ２０までの動作を繰り返す。表示制御部２２３が、所定の回数の動作が終了したと判定した場合（Ｓ２１においてＹＥＳ）、第１モードの検査を終了し、図９に示す第２モードの検査に移行する。
【００５７】
図９に示す第２モードの検査における動作フローチャートは、図８に示す動作フローチャートと同等であるが、Ｓ３１において、表示制御部２２３が、Ｓ１１で検査用画像を表示させた位置と異なる位置に検査用画像を表示させる点で、図８に示す動作フローチャートと異なる。また、Ｓ３４において、切替制御部２２２が、第２レンズ１３の側の第２フィルム１５が光を透過し、第１レンズ１２の側の第１フィルム１４が光を透過しない状態にする点で、図９におけるＳ１４と異なる。
【００５８】
［変形例１］
上記の説明においては、切替制御部２２２が、被検査者が表示装置４に触れた回数が所定の閾値に達するたびに、第１モードと第２モードとを切り替えたが、切替制御部２２２が第１モードと第２モードとを切り替えるタイミングは、これに限らない。切替制御部２２２は、計測部２２５が計測した検査用画像の表示位置とタッチ位置との距離が所定の閾値以下に達したことを条件として、第１モードと第２モードとを切り替えてもよい。
【００５９】
この際、切替制御部２２２は、検査用画像の表示位置とタッチ位置との距離が所定の回数以上連続して所定の閾値以下に維持されていることを条件として、第１モードと第２モードとを切り替えてもよい。このようにすることで、切替制御部２２２は、被検査者が学習できたことを検出した時点で第１モードと第２モードとを切り替えることができるので、検査の回数を減らし、検査時間を短縮することが可能になる。
【００６０】
［変形例２］
上記の説明においては、検査装置１の上方にアクリルレンズが設けられ、検査装置１の下方にプリズムレンズが設けられていたが、アクリルレンズとプリズムレンズの位置関係は、これに限らない。検査装置１の下方にアクリルレンズが設けられ、検査装置１の上方にプリズムレンズが設けられていてもよい。また、検査装置１の右側にアクリルレンズが設けられ、検査装置１の左側にプリズムレンズが設けられるようにしてもよい。逆に、検査装置１の左側にアクリルレンズが設けられ、検査装置１の右側にプリズムレンズが設けられるようにしてもよい。
【００６１】
［変形例３］
上記の説明においては、検査装置１が、光の透過方向が異なるレンズとしてアクリルレンズとプリズムレンズを例示したが、第１レンズ１２及び第２レンズ１３のレンズの種類はこれに限らず任意である。
【００６２】
［変形例４］
上記の説明において、操作特定部２２１は、スイッチ３が出力した操作信号に基づいて被検査者の操作状態を特定したが、操作特定部２２１が操作状態を特定する方法は任意である。例えば、操作特定部２２１は、被検査者を撮影した画像における被検査者の手の位置又は動きに基づいて操作状態を特定してもよい。この場合、切替制御部２２２は、例えば、被検査者の手が撮影画像に写っている状態において、第１フィルム１４及び第２フィルム１５のうち検査に用いる方を、光を透過させる状態にする。切替制御部２２２は、被検査者の手が撮影画像に写っていない状態において、第１フィルム１４及び第２フィルム１５を、光を透過させない状態に切り替える。
【００６３】
［変形例５］
上記の説明において、第１レンズ１２及び第２レンズ１３が筐体１１に固定されている例を示したが、第１レンズ１２又は第２レンズ１３が、着脱可能に筐体１１に取り付けられていてもよい。例えば、第２レンズ１３のプリズムレンズが着脱可能になっていることにより、被検査者に適した度数のプリズムレンズに入れ替えて検査をすることができる。
【００６４】
［検査システムＳによる効果］
以上説明したように、検査システムＳにおいては、検査装置１に、第１レンズ１２と第２レンズ１３とが並んで配置されており、第１レンズ１２と重ねて第１フィルム１４が設けられ、第２レンズ１３と重ねて第２フィルム１５が設けられている。そして、切替制御部２２２が、第１フィルム１４が光を透過するか否か、及び第２フィルム１５が光を透過するか否かを切り替えることができる。
【００６５】
このようにすることで、検査システムＳにおいては、検査装置１に複雑な機械構造を設けることなく、被検査者がアクリルレンズを介して検査用画像を視認する第１モードと、被検査者がプリズムレンズを介して検査用画像を視認する第２モードとを自動的に切り替えることができる。その結果、検査システムＳを用いることで、検査中のレンズの切り替え時間を短縮することができる。したがって、検査時間を短縮するとともに、レンズの切り替え中に非検査者が表示装置４を視認しないので、検査の精度を向上させることができる。
【００６６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００６７】
１  検査装置
２  制御装置
３  スイッチ
４  表示装置
１１  筐体
１２  第１レンズ
１３  第２レンズ
１４  第１フィルム
１５  第２フィルム
１６  第１制御線
１７  第２制御線
１８  ケーブル
２１  記憶部
２２  制御部
２２１  操作特定部
２２２  切替制御部
２２３  表示制御部
２２４  検出部
２２５  計測部
【図１】
2018110605.tif 000003
【図２】
2018110605.tif 000004
【図３】
2018110605.tif 000005
【図４】
2018110605.tif 000006
【図５】
2018110605.tif 000007
【図６】
2018110605.tif 000008
【図７】
2018110605.tif 000009
【図８】
2018110605.tif 000010
【図９】
2018110605.tif 000011